(57)【特許請求の範囲】
【請求項１】
ディスクを載置し、回転駆動されるターンテーブルと、
このターンテーブルの上面において、ターンテーブルの中心と同心の円周上に所定間隔に設けられ、ターンテーブルの内外方向にスライド可能であり、ターンテーブルに載置されるディスクの中心孔が外側に嵌合されることによりディスクの芯出しを行うとともに、そのときディスクの中心孔縁部が外壁部に当接してターンテーブルの内側方向にスライドされる複数のディスク芯出し部材と、
この複数のディスク芯出し部材の内側に昇降可能に設けられ、ディスク芯出し部材との間に当接部を有し、ディスク芯出し部材が前記のようにターンテーブルの内側方向にスライドされると、前記当接部によって上昇するように操作されるクランパ芯出しリングと、
このクランパ芯出しリングと前記ターンテーブル間に張設され、クランパ芯出しリングに下方向に力を与えるバネ材と、
前記ターンテーブルの上方に位置し、ターンテーブルに載置されたディスクを上から押さえるために下降したとき、上昇して前記ディスク芯出し部材の上方に突出している前記クランパ芯出しリングに嵌合されて芯出しが行われるクランパと
を具備することを特徴とするディスククランプ装置。
【請求項２】
ターンテーブル上面の前記円周上に環状の支持体が取付けられ、この支持体の円周方向の複数の個所に、ターンテーブルの内外方向に貫通するトンネル状の貫通孔が形成され、この貫通孔に１つずつ挿入して前記複数のディスク芯出し部材がスライド可能に設けられることを特徴とする請求項１に記載のディスククランプ装置。
【請求項３】
前記貫通孔およびディスク芯出し部材は、円周上に１２０°間隔で３つ設けられることを特徴とする請求項２に記載のディスククランプ装置。
【請求項４】
ディスクの中心孔縁部が当接するディスク芯出し部材の外壁部、およびクランパ芯出しリングの当接部が当接するディスク芯出し部材の内壁部は、共に上方に行くに従い後退する斜面に形成されることを特徴とする請求項１ないし３のいずれかに記載のディスククランプ装置。
【請求項５】
ターンテーブルの上面には、ディスク芯出し部材がターンテーブルの外側方向に必要以上にスライドしないようにストッパが設けられることを特徴とする請求項１ないし４のいずれかに記載のディスククランプ装置。
【請求項６】
ターンテーブルの中心部上面には中心軸が突設され、この中心軸にクランパ芯出しリングが嵌合され、この中心軸に沿って前記クランパ芯出しリングが昇降することを特徴とする請求項１ないし５のいずれかに記載のディスククランプ装置。
【発明の詳細な説明】
【０００１】
【発明の属する技術分野】
本発明は、ディスククランプ装置に関する。
【０００２】
【従来の技術】
ＣＤやＤＶＤなどのディスクを再生するディスクプレーヤには、ディスククランプ装置が設けられている。このディスククランプ装置は、ローラにより移送されてきたディスクをターンテーブル上に載置させ、そのディスクをクランパにより上から押さえてターンテーブル上に固定させる装置であり、その状態でモータによりターンテーブルを回転させれば、クランパごとディスクを回転させることができ、そのディスクに光ヘッドからレーザビームを当てて、反射光を検出すれば、ディスク上のデータを読取ることができる。
【０００３】
このディスククランプ装置において、ディスクを偏芯させずに保持し回転させることは、ディスク上から正確にデータを読取る上で非常に重要である。そこで、ディスククランプ装置のターンテーブル上には、ターンテーブルとディスク間の芯出し（中心合わせ）を行うディスク芯出し構造部と、ターンテーブルとクランパ間の芯出し（中心合わせ）を行うクランパ芯出し構造部が設けられる。この２つの芯出し構造部のうちクランパ芯出し構造部は、移送されるディスクへの障害とならないようにディスク芯出し構造部内に隠れて設けられ、ディスクがターンテーブル上に載置されたときのみ上昇してディスク芯出し構造部およびディスク上に突出し、下降してきたクランパに嵌合し、クランパの芯出しが行えることが好ましい。
【０００４】
そこで、従来は、例えば特開２０００−２９８９０４に開示されるように操作レバーをターンテーブルに取付け、ディスクがターンテーブルに載置されたとき、そのディスクの下面により操作レバーを操作し回動させ、その回動に連動してクランパ芯出し構造部（より具体的には“クランパ芯出しリング”）が上昇するようにしている。
【０００５】
【発明が解決しようとする課題】
しかしながら、クランパ芯出しリングを上昇させるために操作レバーをターンテーブルに取付ける方法は部品点数が多くなり、ターンテーブル部分の構造が複雑になる問題点があった。
【０００６】
本発明は上記の点に鑑みなされたもので、部品点数を減らし、ターンテーブル部分の構造を簡素化してクランパ芯出しリングを上昇させることができるディスククランプ装置を提供することを目的とする。
【０００７】
【課題を解決するための手段】
本発明のディスククランプ装置は、ディスクを載置し、回転駆動されるターンテーブルと、このターンテーブルの上面において、ターンテーブルの中心と同心の円周上に所定間隔に設けられ、ターンテーブルの内外方向にスライド可能であり、ターンテーブルに載置されるディスクの中心孔が外側に嵌合されることによりディスクの芯出しを行うとともに、そのときディスクの中心孔縁部が外壁部に当接してターンテーブルの内側方向にスライドされる複数のディスク芯出し部材と、この複数のディスク芯出し部材の内側に昇降可能に設けられ、ディスク芯出し部材との間に当接部を有し、ディスク芯出し部材が前記のようにターンテーブルの内側方向にスライドされると、前記当接部によって上昇するように操作されるクランパ芯出しリングと、このクランパ芯出しリングと前記ターンテーブル間に張設され、クランパ芯出しリングに下方向に力を与えるバネ材と、前記ターンテーブルの上方に位置し、ターンテーブルに載置されたディスクを上から押さえるために下降したとき、上昇して前記ディスク芯出し部材の上方に突出している前記クランパ芯出しリングに嵌合されて芯出しが行われるクランパとを具備することを特徴とする。
【０００８】
好ましい形態として、上記ディスククランプ装置は、ターンテーブル上面の前記円周上に環状の支持体が取付けられ、この支持体の円周方向の複数の個所に、ターンテーブルの内外方向に貫通するトンネル状の貫通孔が形成され、この貫通孔に１つずつ挿入して前記複数のディスク芯出し部材がスライド可能に設けられる。その際、前記貫通孔およびディスク芯出し部材は、円周上に１２０°間隔で３つ設けられることが好ましい。また、ディスクの中心孔縁部が当接するディスク芯出し部材の外壁部、およびクランパ芯出しリングの当接部が当接するディスク芯出し部材の内壁部は、共に上方に行くに従い後退する斜面に形成される。さらに、ターンテーブルの上面には、ディスク芯出し部材がターンテーブルの外側方向に必要以上にスライドしないようにストッパが設けられる。さらに、ターンテーブルの中心部上面には中心軸が突設され、この中心軸にクランパ芯出しリングが嵌合され、この中心軸に沿って前記クランパ芯出しリングが昇降する。
【０００９】
【発明の実施の形態】
次に添付図面を参照して本発明によるディスククランプ装置の実施の形態を詳細に説明する。図１および図２は本発明によるディスククランプ装置の実施の形態を示す図で、特に図１はディスク載置状態での図、図２はディスク取出し状態での図である。また、各図において、（ａ）はターンテーブル部分の平面図、（ｂ）はクランパが付加された状態で示す（ａ）のｂ−ｂ線断面図である。
【００１０】
これらの図において、１１はターンテーブルで、その下側には駆動用のモータ１２が一体に構成されている。このターンテーブル１１の中心部には中心軸１３が設けられ、その中心軸１３の上端はターンテーブル１１の上面上方に突出している。ターンテーブル１１の外周端部上面には、ターンテーブル１１上に載置されたディスク３１の下面と接する摩擦材１４が取付けられる。また、ターンテーブル１１の上面には、ターンテーブル１１の内外方向（半径方向）中間位置において、ターンテーブル１１の中心（前記中心軸１３）と同心の円周上に位置して環状の支持体１５が取付けられる。この支持体１５の円周方向の複数個所（この実施の形態では、１２０°間隔の３個所）には、ターンテーブル１１の内外方向に貫通するトンネル状の貫通孔１６が形成される。そして、この貫通孔１６に１つずつ挿入されて小片状のディスク芯出し部材（以下単に芯出し部材という）１７がターンテーブル１１の内外方向にスライド自在に設けられる。この芯出し部材１７は支持体１５の貫通孔１６に挿入されて設けられるわけであるから、設けられ方としては、支持体１５および貫通孔１６と同様に、ターンテーブル１１の上面において、ターンテーブル１１の内外方向中間位置で、ターンテーブル１１の中心と同心の円周上に所定間隔（この実施の形態では１２０°間隔）に複数個（この実施の形態では３つ）設けられることになる。この芯出し部材１７の、支持体１５外側方向に位置する外壁部は、上方に行くに従って後退する斜面１８となっている。同様に、支持体１５の内側方向に位置する芯出し部材１７の内壁部は、上方に行くに従って後退する斜面１９となっている。このような芯出し部材１７が必要以上にターンテーブル１１の外側方向にスライドしないように、芯出し部材１７外側のターンテーブル１１上面にはストッパ２０が設けられる。
【００１１】
このような芯出し部材１７および支持体１５の内側には、ターンテーブル１１の中心軸１３に嵌合されて昇降自在にクランパ芯出しリング（以下単に芯出しリングという）２１が設けられる。この芯出しリング２１の下端部外周面には鍔部２２が突設され、この鍔部２２の先端部は前記芯出し部材１７の内壁部斜面１９に当接する。この芯出しリング２１とターンテーブル１１間にはバネ材２３が張設され、このバネ材２３によって、芯出しリング２１には下方向（すなわち、ターンテーブル１１の上面方向）に力が加えられる。このバネ材２３を配置する関係で、前記支持体１５は、その一部１５ａが他の部分１５ｂと分断されている。
【００１２】
一方、ターンテーブル１１の上方には、クランパブラケット２４に支持されてクランパ２５が設けられる。このクランパ２５の中央部下面には、前記芯出しリング２１に嵌合させてクランパ２５の芯出しを行う嵌合部２６が形成される。また、クランパ２５の外周端部側下面には、ターンテーブル１１に載置されたディスク３１を押えるための押え部材２７が取付けられる。
【００１３】
以上のようなディスククランプ装置において、図２のディスク取出し状態においては、バネ材２３の力により芯出しリング２１が下方に移動され、ターンテーブル１１の上面に芯出しリング２１が圧接され、支持体１５および芯出し部材１７の内側に芯出しリング２１が隠される。そして、この状態においては、芯出しリング２１の下端鍔部２２の先端で芯出し部材１７の内壁部斜面１９が押されることにより、芯出し部材１７は、ストッパ２０に当る位置までターンテーブル１１の外側方向にスライドしている。そして、この状態においては、芯出し部材１７の外壁部斜面１８は、支持体１５の外縁より若干外側に突出している。
【００１４】
次に、ディスク３１がターンテーブル１１上に移送されてくると、ディスク３１は、図１に示すように、中心孔３１ａが芯出し部材１７の外側に嵌合されて芯出しが行われながらターンテーブル１１上に載置されるが、芯出し部材１７に対する嵌合の最初で中心孔３１ａの縁部が芯出し部材１７の外壁部斜面１８に当接するので、芯出し部材１７をターンテーブル１１の内側方向にスライドさせながら芯出し部材１７の下部まで嵌合され、ターンテーブル１１上に載置される。このとき、芯出し部材１７が前記のようにターンテーブル１１の内側方向にスライドされると、この芯出し部材１７の内壁部斜面１９に芯出しリング２１の下端鍔部２２の先端部が当接しているので、芯出しリング２１は、バネ材２３の力に抗して、中心軸１３に沿って上方に移動する。すなわち、芯出しリング２１は、支持体１５および芯出し部材１７の上方に突出することとなる。したがって、ターンテーブル１１上のディスク３１を上から押さえるためにクランパ２５が下降してくれば、クランパ２５の嵌合部２６が芯出しリング２１に嵌合されて、クランパ２５の芯出しが行われる。なお、芯出しリング２１が上昇した状態では、バネ材２３による下方向の力が芯出しリング２１を介して芯出し部材１７に外側方向の力として加わって芯出し部材１７（さらには芯出しリング２１）が固定した状態に保持されるので、ディスク３１およびクランパ２５の芯出しが安定して正確に行われる。
【００１５】
このように、上記のディスククランプ装置によれば、ディスク３１を載置したときのディスク芯出し部材１７の動きを利用してクランパ芯出しリング２１を上昇させる。したがって、従来のような操作レバーが不要となり、部品点数を減らすことができ、ターンテーブル部分の構造を簡素化することができる。
【００１６】
なお、ディスク芯出し部材１７は１２０°間隔に３つ設ける方法が最適であるが、その他の数の複数個とすることもできる。
【００１７】
【発明の効果】
以上詳細に説明したように本発明によるディスククランプ装置によれば、部品点数を減らし、ターンテーブル部分の構造を簡素化することができる。
【図面の簡単な説明】
【図１】本発明によるディスククランプ装置の実施の形態をディスク載置状態で示す図で、（ａ）はターンテーブル部分の平面図、（ｂ）はクランパが付加された状態で示す（ａ）のｂ−ｂ線断面図。
【図２】本発明によるディスククランプ装置の実施の形態をディスク取出し状態で示す図で、（ａ）はターンテーブル部分の平面図、（ｂ）はクランパが付加された状態で示す（ａ）のｂ−ｂ線断面図。
【符号の説明】
１１  ターンテーブル
１３  中心軸
１５  支持体
１６  貫通孔
１７  ディスク芯出し部材
１８  外壁部斜面
１９  内壁部斜面
２０  ストッパ
２１  クランパ芯出しリング
２３  バネ材
２５  クランパ
２６  嵌合部
３１  ディスク
３１ａ  中心孔
【図１】
0003760381.tif 000002
【図２】
0003760381.tif 000003